(57)【要約】【課題】青果物等の物品を収容する容器を用いて、容易に物品を洗浄することを可能とする。【解決手段】容器１００は、青果物等の物品を収容する収容空間１１が内部に形成された容器本体１０と、蓋体２０と、を備える。蓋体２０は、第１状態と、第１状態とは蓋体２０の表裏が反転した第２状態と、の各々の状態で、容器本体１０の本体開口１４を塞ぐように容器本体１０に対して装着可能である。第１状態で蓋体２０が容器本体１０に装着された状態においては、容器１００の側面には、収容空間１１と外部空間とを相互に連通させる開口５０が形成される。第２状態で蓋体２０が容器本体１０に装着された状態では、蓋体２０によって本体開口１４が密閉され、且つ、収容空間１１が容器１００の外部空間から遮蔽される。【選択図】図１
2015110445.tif 000002
【特許請求の範囲】
【請求項１】
物品を収容する収容空間が内部に形成された容器本体であって、前記物品を前記収容空間に出し入れするための本体開口を有する容器本体と、
蓋体と、
を備える容器であって、
前記蓋体は、第１状態と、前記第１状態とは前記蓋体の表裏が反転した第２状態と、の各々の状態で、前記本体開口を塞ぐように前記容器本体に対して装着可能に構成され、
前記第１状態で前記蓋体が前記容器本体に装着された状態においては、当該容器の側面には、前記収容空間と当該容器の外部空間とを相互に連通させる開口が形成され、
前記第２状態で前記蓋体が前記容器本体に装着された状態では、前記蓋体によって前記本体開口が密閉され、且つ、前記収容空間が当該容器の外部空間から遮蔽される容器。
【請求項２】
前記物品は、青果物である請求項１に記載の容器。
【請求項３】
前記容器本体内に水が投入され、且つ、前記第１状態で前記蓋体が前記容器本体に装着された状態において、前記開口が下側を向くように当該容器を傾けることにより、前記開口を通して前記水が当該容器外に排出されるように、前記開口の形状および寸法が設定されている請求項１又は２に記載の容器。
【請求項４】
前記第１状態で前記蓋体が前記容器本体に装着された状態において、前記物品が前記開口を通過不能なように、前記開口の形状および寸法が設定されている請求項１乃至３の何れか一項に記載の容器。
【請求項５】
前記開口は、前記容器本体における前記本体開口の縁部に形成された切欠形状部と、前記蓋体と、の間に形成される請求項１乃至４の何れか一項に記載の容器。
【請求項６】
前記開口は、前記容器本体における前記本体開口の縁部に形成された切欠形状部と前記蓋体との間に形成されるものであるか、または、前記容器本体の側面に形成された穴により構成され、
前記第２状態で前記蓋体が前記容器本体に装着された状態では、前記切欠形状部または前記穴が前記蓋体により塞がれる請求項１乃至４の何れか一項に記載の容器。
【請求項７】
前記蓋体は、
前記第１状態において前記容器本体に装着される装着部と、
前記第１状態において前記装着部より上方に突出する突出部と、
を有し、
前記第２状態で前記蓋体を前記容器本体に装着することにより、前記突出部が前記容器本体内に嵌入して前記切欠形状部または前記穴を内側から塞ぐ請求項６に記載の容器。
【請求項８】
前記蓋体において、前記第１状態では外面となり、前記第２状態では内面となる面には、剥離可能な粘着シートが貼り付けられている請求項１乃至７の何れか一項に記載の容器。
【請求項９】
前記蓋体において、前記第１状態では内面となり、前記第２状態では外面となる面には、文字情報と図柄とのうちの少なくとも何れか一方が印刷されたシートが貼り付けられている請求項１乃至８の何れか一項に記載の容器。
【請求項１０】
前記容器本体と前記蓋体との少なくとも何れか一方には、当該容器を吊り下げるための吊り下げ穴が形成されている請求項１乃至９の何れか一項に記載の容器。
【請求項１１】
前記蓋体において、前記蓋体が前記容器本体に装着された状態で前記本体開口を塞ぐ面には、当該面を貫通するＵ字形の切り込みが形成されている請求項１乃至１０の何れか一項に記載の容器。
【請求項１２】
前記蓋体が前記第１状態で前記容器本体に装着された状態において、当該容器の側面に、複数の前記開口が形成される請求項１乃至１１の何れか一項に記載の容器。
【請求項１３】
当該容器は、複数の側面を有し、
前記蓋体が前記第１状態で前記容器本体に装着された状態において、一の前記側面に、複数の前記開口が形成される請求項１２に記載の容器。
【請求項１４】
前記蓋体は、当該蓋体の表裏を前記第１状態と同じ向きにした状態において、複数の回転角度の各々で前記容器本体に対して装着可能であり、
前記複数の回転角度のうちの第１の回転角度で前記蓋体を前記容器本体に対して装着したときには、当該容器の側面に前記開口が形成され、前記複数の回転角度のうち前記第１の回転角度とは異なる第２の回転角度で前記蓋体を前記容器本体に対して装着したときには、当該容器の側面に前記開口が形成されない請求項１乃至１３の何れか一項に記載の容器。
【請求項１５】
第１容器本体と、第２容器本体と、の２つの前記容器本体を備え、
前記蓋体を前記第１容器本体に対して前記第１状態又は前記第２状態のうちの一方の状態で装着した状態において、前記蓋体を前記第２容器本体に対して前記第１状態又は前記第２状態のうちの他方の状態で装着可能である請求項１乃至１４の何れか一項に記載の容器。
【請求項１６】
第１収容空間が内部に形成されているとともに、前記第１収容空間に収容される内容物を前記第１収容空間に出し入れするための第１本体開口を有する第１容器本体と、
第２収容空間が内部に形成されているとともに、前記第２収容空間に収容される内容物を前記第２収容空間に出し入れするための第２本体開口を有する第２容器本体と、
蓋体と、
を備える容器であって、
前記蓋体は、前記第１容器本体に対する状態を、第１状態と、前記第１状態とは前記蓋体の表裏が反転した第２状態と、の各々の状態にして、前記第１本体開口を塞ぐように前記第１容器本体に対して装着可能であるとともに、
前記蓋体は、前記第２容器本体に対する状態を、前記第１状態と前記第２状態との各々の状態にして、前記第２本体開口を塞ぐように前記第２容器本体に対して装着可能であり、
且つ、
前記蓋体を前記第１容器本体に対して前記第１状態又は前記第２状態のうちの一方の状態で装着した状態において、前記蓋体を前記第２容器本体に対して前記第１状態又は前記第２状態のうちの他方の状態で装着可能である容器。
【請求項１７】
請求項１乃至１４の何れか一項に記載の容器を用いて物品を洗浄する方法であって、
前記容器本体内に水を投入する工程と、
前記蓋体を前記第２状態で前記容器本体に装着する工程と、
当該容器を振動させて前記水により前記物品を洗浄する工程と、
を備える洗浄方法。
【請求項１８】
前記物品は、青果物である請求項１７に記載の洗浄方法。
【請求項１９】
前記洗浄する工程の後、
前記蓋体を前記容器本体から取り外す工程と、
前記蓋体を前記第１状態で容器本体に装着する工程と、
当該容器を傾けて前記開口を通して前記水を当該容器外に排出する工程と、
を更に行う請求項１７又は１８に記載の洗浄方法。
【発明の詳細な説明】
【技術分野】
【０００１】
本発明は、容器および洗浄方法に関する。
【背景技術】
【０００２】
ミニトマト或いはその他のフルーツなどの青果物は、樹脂製の容器に収容された状態で、店頭で販売されることが一般的である。このような容器は、一般に、低コストな真空成型法により成型される。
【０００３】
なお、特許文献１には、容器の内容積を可変とするために、蓋体を表と裏のどちらに向けた場合でも、蓋体を容器本体に嵌合させることができる容器について記載されている。
【先行技術文献】
【特許文献】
【０００４】
【特許文献１】特開２００１−１１４３１７号公報
【発明の概要】
【発明が解決しようとする課題】
【０００５】
消費者は、ミニトマト或いはその他のフルーツなどの青果物を購入した後、食用の前に水洗いすることが一般的である。青果物を収容する容器は、一般的に青果物を水洗いするのに適した構造とはなっていない。また、青果物を水洗いするためにザルを用いた場合、使用後のザルを洗ったり水切りしたりする必要があるため面倒である。
【０００６】
本発明は、上記の課題に鑑みなされたものであり、青果物等の物品を収容する容器を用いて、容易に物品を洗浄することを可能とすることを目的とする。
【課題を解決するための手段】
【０００７】
本発明は、物品を収容する収容空間が内部に形成された容器本体であって、前記物品を前記収容空間に出し入れするための本体開口を有する容器本体と、
蓋体と、
を備える容器であって、
前記蓋体は、第１状態と、前記第１状態とは前記蓋体の表裏が反転した第２状態と、の各々の状態で、前記本体開口を塞ぐように前記容器本体に対して装着可能に構成され、
前記第１状態で前記蓋体が前記容器本体に装着された状態においては、当該容器の側面には、前記収容空間と当該容器の外部空間とを相互に連通させる開口が形成され、
前記第２状態で前記蓋体が前記容器本体に装着された状態では、前記蓋体によって前記本体開口が密閉され、且つ、前記収容空間が当該容器の外部空間から遮蔽される容器を提供する。
【０００８】
この容器によれば、青果物等の物品を収容空間に収容し、蓋体を第１状態で容器本体に装着した状態では、容器の側面に開口が形成されるので、この開口を通して空気が流通可能な状態で、物品を保存することができる。
そして、物品を洗浄する場合には、先ず、蓋体を容器本体から外し、容器本体内に水を投入する。次に、蓋体を裏返して、第２状態で蓋体を容器本体に装着することにより、蓋体によって本体開口を密閉し、収容空間を容器の外部空間から遮蔽する。次に、容器を振動させることにより、水によって物品を洗浄することができる。このため、物品を収容する容器を用いて、容易に物品を洗浄することができる。ここで、第２状態では蓋体によって本体開口が密閉され且つ収容空間が容器の外部空間から遮蔽されているので、水が容器の外部に飛び散ってしまうことを抑制しつつ、物品を洗浄することができる。
【０００９】
また、本発明は、第１収容空間が内部に形成されているとともに、前記第１収容空間に収容される内容物を前記第１収容空間に出し入れするための第１本体開口を有する第１容器本体と、
第２収容空間が内部に形成されているとともに、前記第２収容空間に収容される内容物を前記第２収容空間に出し入れするための第２本体開口を有する第２容器本体と、
蓋体と、
を備える容器であって、
前記蓋体は、前記第１容器本体に対する状態を、第１状態と、前記第１状態とは前記蓋体の表裏が反転した第２状態と、の各々の状態にして、前記第１本体開口を塞ぐように前記第１容器本体に対して装着可能であるとともに、
前記蓋体は、前記第２容器本体に対する状態を、前記第１状態と前記第２状態との各々の状態にして、前記第２本体開口を塞ぐように前記第２容器本体に対して装着可能であり、
且つ、
前記蓋体を前記第１容器本体に対して前記第１状態又は前記第２状態のうちの一方の状態で装着した状態において、前記蓋体を前記第２容器本体に対して前記第１状態又は前記第２状態のうちの他方の状態で装着可能である容器を提供する。
【００１０】
また、本発明は、本発明の容器を用いて物品を洗浄する方法であって、
前記容器本体内に水を投入する工程と、
前記蓋体を前記第２状態で前記容器本体に装着する工程と、
当該容器を振動させて前記水により前記物品を洗浄する工程と、
を備える洗浄方法を提供する。
【発明の効果】
【００１１】
本発明によれば、青果物等の物品を収容する容器を用いて、容易に物品を洗浄することができる。
【図面の簡単な説明】
【００１２】
【図１】第１の実施形態に係る容器を示す図であり、このうち（ａ）は容器本体と蓋体とを分離させた状態の容器の全体構成を示す正面図、（ｂ）は容器本体の平面図である。
【図２】第１の実施形態に係る容器により青果物を収容保存する通常状態の正面図である。
【図３】第１の実施形態に係る容器の蓋体を容器本体から取り外し、容器本体内に水を投入した状態を示す正面図である。
【図４】第１の実施形態に係る容器を用いて青果物を洗浄する状態を示す正面図である。
【図５】第１の実施形態に係る容器を用いて青果物を洗浄した後の水切りを行う状態を示す側面図である。
【図６】第２の実施形態に係る容器を示す正面図である。
【図７】第３の実施形態に係る容器を示す図であり、容器本体と蓋体とを分離させた状態の容器の全体構成を示す正面図である。
【図８】図８（ａ）は第３の実施形態に係る容器の蓋体の平面図、図８（ｂ）は第３の実施形態に係る容器の容器本体の平面図である。
【図９】第３の実施形態に係る容器の正面図であり、このうち（ａ）は蓋体を第１状態で容器本体に装着した状態を示し、（ｂ）は蓋体を第２状態で容器本体に装着した状態を示す。
【図１０】図１０（ａ）は第４の実施形態に係る容器の正面図であり、図１０（ｂ）は第５の実施形態に係る容器の正面図である。
【図１１】第６の実施形態に係る容器の正面図であり、２つの容器本体と蓋体とを分離させた状態を示す。
【図１２】第６の実施形態に係る容器の正面図であり、２つの容器本体と蓋体とを組み付けた状態を示す。
【図１３】第７の実施形態に係る容器の容器本体の平面図である。
【図１４】第８の実施形態に係る容器の蓋体の平面図である。
【図１５】第９の実施形態に係る容器を示す正面図である。
【図１６】第１０の実施形態に係る容器を示す正面図であり、このうち（ａ）は容器本体と蓋体とを分離させ、且つ、容器本体及び蓋体をそれぞれ特定の回転角度にした状態を示し、（ｂ）は蓋体及び容器本体をそれぞれ特定の回転角度にして蓋体を容器本体に装着した状態を示す。
【発明を実施するための形態】
【００１３】
以下、本発明の実施形態について、図面を用いて説明する。なお、すべての図面において、同様の構成要素には同一の符号を付し、適宜に説明を省略する。
【００１４】
〔第１の実施形態〕
図１は実施形態に係る容器１００を示す図であり、このうち（ａ）は容器本体１０と蓋体２０とを分離させた状態の容器１００の全体構成を示す正面図、（ｂ）は容器本体１０の平面図である。図２は第１の実施形態に係る容器１００により青果物３０を収容保存する通常状態の正面図である。図３は第１の実施形態に係る容器１００の蓋体２０を容器本体１０から取り外し、容器本体１０内に水４０を投入した状態を示す正面図である。図４は第１の実施形態に係る容器１００を用いて青果物３０を洗浄する状態を示す正面図である。図５は第１の実施形態に係る容器１００を用いて青果物３０を洗浄した後の水切りを行う状態を示す側面図である。
【００１５】
本実施形態に係る容器１００は、物品の洗浄機能付きの容器である。なお、物品は、例えば、フルーツ等の青果物とすることができる。ただし、物品は、その他の食材又は食品であっても良いし、その他の物品であっても良い。
容器１００は、容器本体１０と、蓋体２０とを備える。
容器本体１０には、青果物３０を収容する収容空間１１が内部に形成されている。容器本体１０は、青果物３０を収容空間１１に出し入れするための本体開口１４を有している。
蓋体２０は、第１状態と、第１状態とは蓋体２０の表裏が反転した第２状態と、の各々の状態で、本体開口１４を塞ぐように容器本体１０に対して装着可能に構成されている。第１状態で蓋体２０が容器本体１０に装着された状態においては、容器１００の側面には、収容空間１１と容器１００の外部空間とを相互に連通させる開口５０が形成されるように、容器１００は構成されている。一方、第２状態で蓋体２０が容器本体１０に装着された状態では、蓋体２０によって本体開口１４が密閉され、且つ、収容空間１１が容器１００の外部空間から遮蔽されるように、容器１００は構成されている。
【００１６】
先ず、容器本体１０について詳述する。
【００１７】
容器本体１０は、底面１８を有する箱形に形成されている。容器本体１０の平面形状は、矩形状であっても良いし、円形状であっても良いし、その他の形状であっても良い。図１（ｂ）には、一例として、容器本体１０の平面形状が矩形状である例を示している。
【００１８】
容器本体１０の内部には、青果物３０を収容する収容空間１１が形成されている。収容空間１１は、例えば、第１部分１１ａと、第１部分１１ａの上側に位置し第１部分１１ａよりも平断面寸法が大きい（第１部分１１ａよりも大径の）第２部分１１ｂと、を含んでいる。第１部分１１ａと第２部分１１ｂとの境界には、段部１２が形成されている。
【００１９】
容器本体１０は、青果物３０を収容空間１１に出し入れするための本体開口１４を有している。本体開口１４は、容器本体１０の上端部に形成されている。
【００２０】
容器本体１０は、本体開口１４より外方に向けて延出する鍔状部１５を備えている。鍔状部１５は、本体開口１４の周囲に環状に形成されている。ただし、例えば、図１（ｂ）に示すように、後述する切欠形状部１６の近傍においては、鍔状部１５に空白部分が形成されている。
【００２１】
次に、蓋体２０について詳述する。
【００２２】
蓋体２０は、本体開口１４を塞ぐようにして容器本体１０に装着することが可能に構成されている。蓋体２０は、図２に示す第１状態と、図４に示すように第１状態とは蓋体２０の表裏が反転した第２状態と、の各々の状態で、本体開口１４を塞ぐように容器本体１０に対して装着可能である。
【００２３】
蓋体２０は、容器本体１０の鍔状部１５に対して装着される装着部２１と、突出部２２と、を備えている。
【００２４】
図１（ａ）の状態において、装着部２１は、突出部２２の下端部より外方に向けて延出し、突出部２２の下端の周囲に環状に形成されている。
【００２５】
図２は、第１状態で蓋体２０を容器本体１０に対して装着した状態を示す。この状態では、装着部２１は、鍔状部１５の上面および側端面を覆うようにして鍔状部１５に対して装着されている。この状態で、装着部２１は鍔状部１５に対し係合して固定されている。
【００２６】
突出部２２は、第１状態において、装着部２１より上方に突出している。突出部２２は、側面２３と、第１状態と第２状態の各々の状態で容器本体１０の底面１８および段部１２に対して対向する面状部２４と、を有している。面状部２４は、蓋体２０が容器本体１０に対して装着された状態で、容器１００の天面となる。
【００２７】
このように、蓋体２０も、箱形に形成されている。なお、蓋体２０の平面形状は、容器本体１０の平面形状と対応する形状となっている。
【００２８】
ここで、容器本体１０における本体開口１４の縁部（例えば容器本体１０の側面１３の上端部）には、切欠形状部１６が形成されている。図２に示すように、第１状態で蓋体２０が容器本体１０に装着された状態では、切欠形状部１６と蓋体２０との間に、開口５０が形成される。この開口５０は、収容空間１１と容器１００の外部空間とを相互に連通させる。この開口５０は、容器１００によって青果物を保存する際には通気口として機能し、容器１００を用いた青果物の洗浄後には、水切り用の穴として機能する。
【００２９】
ここで、開口５０は、例えば、容器１００の側面にのみ形成され、容器１００の底面１８は開口を有さない閉塞面となっている。また、本実施形態の場合、容器１００の天面（面状部２４）には、後述するるような切り込み２５等が形成されておらず、容器１００の天面は塞がっている。
【００３０】
なお、開口５０の形状は、特に限定されない。例えば、図２に示されるような逆アーチ状ないしは半円状であっても良いし、スリット状であっても良い。
【００３１】
図４は、第２状態で蓋体２０を容器本体１０に対して装着した状態を示す。この状態では、切欠形状部１６が蓋体２０により塞がれるようになっている。より具体的には、突出部２２が容器本体１０内に嵌入して、該突出部２２の側面２３が切欠形状部１６を内側から塞いでいる。より具体的には、図４の状態では、突出部２２は、収容空間１１の第２部分１１ｂ内に嵌入し、面状部２４が段部１２の上面に突き当たっている。また、突出部２２の側面２３の外面は、容器本体１０の第２部分１１ｂにおける側面１３の内面に対して密着した状態となっている。
【００３２】
なお、容器本体１０と蓋体２０は、例えば、それぞれ樹脂薄板を真空成型法により成型加工することによって製造された真空成型品である。この場合、容器本体１０は、その全体に亘って肉厚がほぼ一定であるとともに、その表裏の面は、互いに同様の形状で且つ互いに凸と凹とが反転した形状となっている。同様に、蓋体２０も、その全体に亘って肉厚がほぼ一定であるとともに、その表裏の面は、互いに同様の形状で且つ互いに凸と凹とが反転した形状となっている。
【００３３】
容器本体１０及び蓋体２０の材料は、容器本体１０及び蓋体２０をそれぞれ所望の形状に加工可能な樹脂材料であれば、特に限定されない。容器本体１０及び蓋体２０の材料としては、例えば、ＰＥＴ、ＰＬＡ、ＰＰ、ＰＳなどが挙げられる。
【００３４】
次に、容器１００を用いて青果物３０を収容および保存する方法を説明する。
容器１００を用いて青果物３０を収容および保存する場合、図２に示すように、青果物３０を収容空間１１に収容し、蓋体２０を第１状態で容器本体１０に装着する。この状態では、切欠形状部１６と蓋体２０との間に形成された開口５０を通して空気が収容空間１１と容器１００の外部空間との間で相互に流通可能な状態で、青果物を保存することができる。よって、青果物の鮮度を良好に維持することができる。なお、青果物３０は、ミニトマト或いはその他のフルーツであることが挙げられるが、野菜（いちご、カット野菜など）であっても良い。
【００３５】
次に、容器１００を用いて青果物３０を洗浄する方法を説明する。
【００３６】
この場合、先ず、図３に示すように、容器本体１０から蓋体２０を取り外し、容器本体１０の収容空間１１内に水４０を投入する。すなわち、例えば、青果物３０を購入した消費者が、自宅のキッチンで水道水等を容器本体１０内に入れる。
【００３７】
次に、図４に示すように、蓋体２０を第２状態で容器本体１０に装着する。この状態では、切欠形状部１６が蓋体２０により塞がれるので、容器１００は開口５０を有さない。
【００３８】
この状態で、容器１００を振動させて水４０により青果物３０を洗浄する。具体的には、例えば、容器１００を手で持って上下左右等に振り動かすことにより、水４０を容器１００内でシェイクして青果物３０を洗浄する。なお、右手で装着部２１と鍔状部１５とを掴むとともに、左手でも装着部２１と鍔状部１５とを掴んだ状態で容器１００を振り動かすことにより、容器本体１０からの蓋体２０の脱落を抑制することができる。
【００３９】
これにより、ザルなどの洗浄用器具を用いなくても、手軽に青果物３０を洗浄することができる。ここで、通常時は通気口を構成する切欠形状部１６が蓋体２０により塞がれているため、水４０が切欠形状部１６から周囲に飛び散ってしまうことを抑制しつつ、青果物を洗浄することができる。
【００４０】
次に、水切りを行う。このためには、先ず、蓋体２０を容器本体１０から取り外す。そして、今度は、再び第１状態（図２参照）で蓋体２０を容器本体１０に装着する。次に、図５に示すように、開口５０が下側を向くように容器１００を傾けることにより、開口５０を通して水４０を容器１００外に排出する。このとき、開口５０を通して青果物３０が落下しないように、開口５０はある程度以下の寸法に設定されている。よって、青果物３０を落下させずに、容易に、洗浄後の水切りを行うことができる。例えば、片手で容器本体１０と蓋体２０とを掴んだ状態で、容器１００を傾けることにより、片手操作により容易に水切りを行うことができる。
【００４１】
このように、容器本体１０内に水が投入され、且つ、第１状態で蓋体２０が容器本体１０に装着された状態において、開口５０が下側を向くように容器１００を傾けることにより、開口５０を通して水４０が容器１００外に排出されるように、開口５０の形状および寸法が設定されている。また、第１状態で蓋体２０が容器本体１０に装着された状態において、青果物３０が開口５０を通過不能なように、開口５０の形状および寸法が設定されている。
【００４２】
洗浄および水切りを行った後は、再度、蓋体２０を容器本体１０から取り外す。そして、洗浄後の青果物３０を、本体開口１４を介して取り出すことができる。
なお、青果物３０以外の物品についても、同様の方法で洗浄することが可能である。
【００４３】
以上のような第１の実施形態によれば、蓋体２０は、第１状態と、第１状態とは蓋体２０の表裏が反転した第２状態と、の各々の状態で、容器本体１０の本体開口１４を塞ぐように容器本体１０に対して装着可能に構成されている。また、第１状態で蓋体２０が容器本体１０に装着された状態においては、容器１００の側面には、収容空間１１と容器１００の外部空間とを相互に連通させる開口５０が形成される。そして、第２状態で蓋体２０が容器本体１０に装着された状態では、蓋体２０によって本体開口１４が密閉され、且つ、収容空間１１が容器１００の外部空間から遮蔽される。
よって、青果物３０を収容空間１１に収容し、蓋体２０を第１状態で容器本体１０に装着した状態では、開口５０を通して空気が流通可能な状態で、青果物３０を保存することができる。
そして、青果物３０を洗浄する場合には、先ず、蓋体２０を容器本体１０から外し、容器本体１０内に水４０を投入する。次に、蓋体２０を裏返して、第２状態で蓋体２０を容器本体１０に装着することにより、蓋体２０によって本体開口１４を密閉し、収容空間１１を容器１００の外部空間から遮蔽する。次に、容器１００を振動させることにより、水４０によって青果物３０を洗浄することができる。このため、青果物３０を収容する容器１００を用いて、容易に青果物３０を洗浄することができる。ここで、第２状態では蓋体２０によって本体開口１４が密閉され且つ収容空間１１が容器１００の外部空間から遮蔽されているので、水４０が容器１００の外部に飛び散ってしまうことを抑制しつつ、青果物３０を洗浄することができる。
【００４４】
また、容器本体１０内に水４０が投入され、且つ、第１状態で蓋体２０が容器本体１０に装着された状態において、開口５０が下側を向くように容器１００を傾けることにより、開口５０を通して水４０が容器１００外に排出されるように、開口５０の形状および寸法が設定されている。よって、水４０をその自重により容易に容器外に排出することができる。
【００４５】
また、第１状態で蓋体２０が容器本体１０に装着された状態において、青果物３０が開口５０を通過不能なように、開口５０の形状および寸法が設定されている。よって、水切りの際に開口５０から青果物３０が落下してしまうことを抑制することができる。
【００４６】
また、開口５０は、容器本体１０における本体開口１４の縁部に形成された切欠形状部１６と、蓋体２０と、の間に形成されるものであり、第２状態で蓋体２０が容器本体１０に装着された状態では、切欠形状部１６が蓋体２０により塞がれる。よって、第１状態と第２状態とを切り替えるだけで、切欠形状部１６が開口５０を形成する状態と、切欠形状部１６が蓋体２０によって塞がれる状態と、を容易に切り替えることができる。
【００４７】
また、蓋体２０は、例えば、第１状態において容器本体１０に装着される装着部２１と、第１状態において装着部２１より上方に突出する突出部２２と、を有している。そして、第２状態で蓋体２０を容器本体１０に装着することにより、突出部２２が容器本体１０内に嵌入して、突出部２２が切欠形状部１６を内側から塞ぐ。よって、簡易な構造により、第２状態のときにのみ切欠形状部１６が塞がれる構成を実現することができる。また、突出部２２が容器本体１０内に嵌入するので、容器１００を振動させて青果物３０を洗浄する際に、突出部２２と容器本体１０との隙間から水４０がこぼれてしまうことを抑制できる。
【００４８】
また、本実施形態に係る洗浄方法は、容器本体１０内に水を投入する工程と、蓋体２０を第２状態で容器本体１０に装着する工程と、容器１００を振動させて水４０により青果物３０を洗浄する工程と、を備える。よって、水４０が切欠形状部１６から周囲に飛び散ってしまうことを抑制しつつ、青果物３０を洗浄することができる。
【００４９】
また、洗浄する工程の後、蓋体２０を容器本体１０から取り外す工程と、蓋体２０を第１状態で容器本体１０に装着する工程と、容器１００を傾けて切欠形状部１６を通して水４０を容器１００外に排出する工程と、を更に行うことにより、容器１００を用いて洗浄後の水切りを容易に行うことができる。
【００５０】
なお、上記においては、蓋体２０を第１状態で容器本体１０に装着した状態で、青果物３０を収容及び保存する例を説明した。ただし、容器１００による青果物３０あるいはその他の内容物の収容は、蓋体２０を第１状態で容器本体１０に装着した状態と、蓋体２０を第２状態で容器本体１０に装着した状態と、の何れで行っても良い。
なお、容器１００は、必ずしも洗浄に用いる必要はなく、容器本体１０に対して蓋体２０を表または裏の何れかの向きで装着した状態で、内容物の保存等に用いても良い。加えて、上述のように、必要に応じて、内容物の洗浄に用いることができる。
ここで、蓋体２０を第１状態で容器本体１０に装着した状態（図２）と、蓋体２０を第２状態で容器本体１０に装着した状態（図４）とでは、容器１００の内容積が変化する。すなわち、蓋体２０を第１状態で容器本体１０に装着した状態の方が、蓋体２０を第２状態で容器本体１０に装着した状態よりも容器１００の内容積が大きくなる。
よって、内容物の量（残量）に応じて、蓋体２０を第１状態で容器本体１０に装着した状態と、蓋体２０を第２状態で容器本体１０に装着した状態と、の切り替えを行うことにより、例えば、冷蔵庫等の保管場所における容器１００の占有領域を必要最小限にすることなどが可能である。
なお、容器１００は、惣菜、お弁当又はデザート等の容器としても用いることができる。
【００５１】
〔第２の実施形態〕
図６は第２の実施形態に係る容器１００を示す正面図である。本実施形態に係る容器１００の容器本体１０には、切欠形状部１６の代わりに穴１７が形成されている。穴１７は、第１の実施形態に係る容器１００における切欠形状部１６と同様に機能する。本実施形態に係る容器１００は、それ以外の点では、上記の第１の実施形態に係る容器１００と同様に構成されている。すなわち、本実施形態の場合、開口５０は、容器本体１０の側面１３に形成された穴１７により構成され、第２状態で蓋体２０が容器本体１０に装着された状態では、穴１７が蓋体２０により塞がれるようになっている。より具体的には、例えば、第２状態で蓋体２０を容器本体１０に装着することにより、突出部２２が容器本体１０内に嵌入して穴１７を内側から塞ぐようになっている。なお、穴１７は、例えば、容器本体１０を真空成型法により成型加工した後、パンチングなどにより形成することができる。第２の実施形態によっても、第１の実施形態と同様の効果が得られる。
【００５２】
〔第３の実施形態〕
図７は第３の実施形態に係る容器１００を示す図であり、容器本体１０と蓋体２０とを分離させた状態の容器１００の全体構成を示す正面図である。図８（ａ）は第３の実施形態に係る容器１００の蓋体２０の平面図、図８（ｂ）は第３の実施形態に係る容器１００の容器本体１０の平面図である。図９（ａ）および（ｂ）は第３の実施形態に係る容器１００の正面図であり、このうち（ａ）は蓋体２０を第１状態で容器本体１０に装着した状態を示し、（ｂ）は蓋体２０を第２状態で容器本体１０に装着した状態を示す。本実施形態に係る容器１００は、以下に説明する点で、上記の第１の実施形態に係る容器１００と相違し、その他の点では、上記の第１の実施形態に係る容器１００と同様に構成されている。
【００５３】
先ず、本実施形態の容器本体１０について説明する。
【００５４】
本実施形態の場合も、容器本体１０の収容空間１１は、例えば、第１部分１１ａと、第１部分１１ａの上側に位置し第１部分１１ａよりも平断面寸法が大きい（第１部分１１ａよりも大径の）第２部分１１ｂと、を含んでいる。第１部分１１ａと第２部分１１ｂとの境界には段部１２が形成されている。
【００５５】
本実施形態の場合も、容器本体１０は、本体開口１４より外方に向けて延出する鍔状部１５を備えている。鍔状部１５は、本体開口１４の周囲に環状に形成されている。
【００５６】
鍔状部１５は、例えば、ベース部１５ａと、嵌入突起部１５ｂと、摘み部１５ｃと、を有している。
【００５７】
ベース部１５ａは、平坦に形成され、本体開口１４の周囲に環状に配置されている。
【００５８】
嵌入突起部１５ｂは、ベース部１５ａより上方に突出している。例えば、図８（ｂ）に示すように、ベース部１５ａの４つの角部の各々に、Ｌ字状の嵌入突起部１５ｂが形成されている。
【００５９】
摘み部１５ｃは、ベース部１５ａの角部に連接されている。例えば、図８（ｂ）に示すように、ベース部１５ａの４つの角部の各々に、摘み部１５ｃが連接されている。
【００６０】
図７及び図８（ｂ）に示すように、容器本体１０において、隣り合う嵌入突起部１５ｂどうしの間の部分は、切欠形状部１６となっている。
【００６１】
次に、本実施形態の蓋体２０について説明する。
【００６２】
本実施形態の場合も、蓋体２０は、本体開口１４を塞ぐようにして容器本体１０に装着することが可能に構成されている。蓋体２０は、図９（ａ）に示す第１状態と、図９（ｂ）に示すように第１状態とは蓋体２０の表裏が反転した第２状態と、の各々の状態で、本体開口１４を塞ぐように容器本体１０に対して装着可能である。
【００６３】
本実施形態の場合も、蓋体２０は、容器本体１０の鍔状部１５に対して装着される装着部２１と、突出部２２と、を備えている。
【００６４】
図７の状態において、装着部２１は、突出部２２の下端部より外方に向けて延出し、突出部２２の下端の周囲に環状に形成されている。装着部２１は、図７の状態において下向きに開口している。装着部２１の内面には、下向きの段部２１ｂが形成されている。
【００６５】
図９（ａ）に示すように第１状態で蓋体２０を容器本体１０に対して装着した状態では、鍔状部１５の嵌入突起部１５ｂが装着部２１に嵌入することによって、装着部２１が鍔状部１５に対して固定される。このとき、嵌入突起部１５ｂの上端面が、段部２１ｂに当接した状態となる。また、装着部２１の下端部がベース部１５ａの上面に対して当接した状態となる、
【００６６】
装着部２１の周縁部において、切欠形状部１６と対応する部分には、それぞれ切欠形状部２６が形成されている。
【００６７】
本実施形態の場合、第１状態で蓋体２０を容器本体１０に対して装着した状態では、切欠形状部１６と切欠形状部２６との間に開口５０が形成される（図９（ａ））。すなわち、開口５０は、容器本体１０における本体開口１４の縁部に形成された切欠形状部１６と、蓋体２０との間（より具体的には、切欠形状部１６と切欠形状部２６との間）に形成される。
【００６８】
装着部２１の４つの角部の各々には、容器本体１０の摘み部１５ｃと同様の摘み部２１ａが形成されている。
【００６９】
本実施形態の場合、突出部２２は、図７の状態において装着部２１の上側に位置する第１突出部２７と、図７の状態において第１突出部２７の上側に位置する第２突出部２８と、を含んでいる。第１突出部２７は、装着部２１よりも平断面寸法が小さい（装着部２１よりも小径である）。第２突出部２８は、第１突出部２７よりも更に平断面寸法が小さい（第１突出部２７よりも更に小径である）。
【００７０】
本実施形態の場合、図９（ｂ）に示すように第２状態で蓋体２０を容器本体１０に対して装着した状態では、蓋体２０の各部と容器本体１０の各部とは以下のような関係となる。
蓋体２０の第２突出部２８が容器本体１０の収容空間１１の第２部分１１ｂに嵌入することによって、蓋体２０が容器本体１０に固定される。この状態では、第２突出部２８の側面の外面は、容器本体１０の収容空間１１の第２部分１１ｂにおける側面１３の内面に対して密着した状態となる。この状態では、蓋体２０によって本体開口１４が密閉され且つ収容空間１１が容器１００の外部空間から遮蔽される。つまり、第２状態で蓋体２０を容器本体１０に対して装着した状態では、容器１００は開口５０を有さない。
より具体的には、例えば、蓋体２０の第１突出部２７が、４つの嵌入突起部１５ｂの間の領域に嵌入して、これら４つの嵌入突起部１５ｂに対して係合することによって、蓋体２０がより強固に容器本体１０に固定される。
また、嵌入突起部１５ｂの上面に対して、図９（ｂ）の状態における装着部２１の下面（図７の状態における装着部２１の上面）が当接する。
また、ベース部１５ａの上面に対して、図９（ｂ）の状態における第１突出部２７の下面（図７の状態における第１突出部２７の上面）が当接する。
また、段部１２に対して、図９（ｂ）の状態における第２突出部２８の下面（図７の状態における第２突出部２８の上面）が当接する。
【００７１】
なお、容器本体１０は、例えば、前後対称、且つ、左右対称に形成されている。また、蓋体２０も、例えば、前後対称、且つ、左右対称に形成されている。このため、第１状態で蓋体２０を容器本体１０に装着した状態では、例えば、容器１００の４つの側面にそれぞれ開口５０が形成される。
【００７２】
次に、本実施形態において、容器１００を用いて青果物３０を洗浄する方法を説明する。
【００７３】
先ず、容器本体１０から蓋体２０を取り外し、容器本体１０の収容空間１１内に水４０を投入する。
【００７４】
次に、図９（ｂ）に示すように、蓋体２０を第２状態で容器本体１０に装着する。この状態では、容器１００は開口５０を有さない。この状態で、容器１００を振動させて水４０により青果物３０を洗浄する。
【００７５】
これにより、ザルなどの洗浄用器具を用いなくても、手軽に青果物３０を洗浄することができる。このとき、容器１００は開口５０を有さないので、水４０が開口５０から周囲に飛び散ることなく、青果物を洗浄することができる。
【００７６】
次に、水切りを行う。このためには、先ず、蓋体２０を容器本体１０から取り外す。そして、今度は、再び第１状態（図９（ａ）参照）で蓋体２０を容器本体１０に装着する。次に、何れかの開口５０が下側を向くように容器１００を傾けることにより、開口５０を通して水４０を容器１００外に排出する。このとき、開口５０を通して青果物３０が落下しないように、開口５０はある程度以下の寸法に設定されている。よって、青果物３０を落下させずに、容易に、洗浄後の水切りを行うことができる。
【００７７】
このように、容器本体１０内に水が投入され、且つ、第１状態で蓋体２０が容器本体１０に装着された状態において、開口５０が下側を向くように容器１００を傾けることにより、開口５０を通して水４０が容器１００外に排出されるように、開口５０の形状および寸法が設定されている。また、第１状態で蓋体２０が容器本体１０に装着された状態において、青果物３０が開口５０を通過不能なように、開口５０の形状および寸法が設定されている。
【００７８】
洗浄および水切りを行った後は、再度、蓋体２０を容器本体１０から取り外す。そして、洗浄後の青果物３０を、本体開口１４を介して取り出すことができる。なお、蓋体２０を容器本体１０から取り外す際は、蓋体２０の摘み部２１ａと容器本体１０の摘み部１５ｃとを摘むことによって、蓋体２０の取り外し操作を容易に行うことができる。
【００７９】
本実施形態によっても、上記の第１の実施形態と同様の効果が得られる。
【００８０】
なお、上記の第３の実施形態では、容器本体１０に形成された切欠形状部１６と、蓋体２０に形成された切欠形状部２６とが合わさることにより開口５０が形成される例を説明したが、開口５０を形成するための切欠形状部は、容器本体１０と蓋体２０とのうちの何れか一方にのみ形成されていても良い。つまり、上記の第３の実施形態において、容器本体１０には切欠形状部１６が形成されていなくても良いし、蓋体２０には切欠形状部２６が形成されていなくても良い。
すなわち、開口５０は、例えば、容器本体１０における本体開口１４の縁部に形成された切欠形状部１６と、蓋体２０と、の間に形成される。この場合、蓋体２０側にも切欠形状部２６を形成し、切欠形状部１６と切欠形状部２６とが合わさることにより開口５０が形成されるようにしても良いし、容器本体１０の切欠形状部１６と、（切欠形状部２６が形成されていない）蓋部２０と、の間に形成されても良い。
或いは、開口５０は、（切欠形状部１６が形成されていない）容器本体１０と、蓋体２０に形成された切欠形状部２６と、の間に形成されても良い。
【００８１】
〔第４の実施形態〕
図１０（ａ）は第４の実施形態に係る容器１００の正面図である。本実施形態に係る容器１００は、以下に説明する点で、上記の第１乃至第３の実施形態に係る容器１００と相違し、その他の点では、上記の第１乃至第３の実施形態に係る容器１００と同様に構成されている。
【００８２】
本実施形態の場合、蓋体２０の面状部２４において、第１状態では外面となり、第２状態では内面となる面には、剥離可能な粘着シート６０が貼り付けられている。粘着シート６０は、例えば、面状部２４のほぼ全面を覆うような寸法及び形状に設定されている。
【００８３】
本実施形態の場合、容器１００を用いて青果物３０を洗浄する直前に、粘着シート６０を面状部２４から剥離する。このため、仮に粘着シート６０の外表面が汚れていた場合であっても、清浄な面を露出させた上で、青果物３０の洗浄を行うことができる。よって、衛生的に青果物３０を洗浄することができる。
【００８４】
なお、粘着シート６０の少なくとも何れか一方の面には、文字情報と図柄とのうちの少なくとも何れか一方が印刷されていても良い。文字情報は、青果物３０の品種、産地、生産者等を示す情報と、容器１００を用いた青果物３０の洗浄手順の説明書き（粘着シート６０の剥離の仕方や剥離するタイミングの説明を含んでも良い）と、のうちの少なくとも何れか１つであることが挙げられる。図柄は、青果物３０の生産者、産地、ブランド等を示す図柄と、容器１００を用いた青果物３０の洗浄手順を示す図柄と、のうちの少なくとも何れか一方であることが挙げられる。
【００８５】
本実施形態によれば、上記の各実施形態と同様の効果が得られる。また、蓋体２０において、第１状態において外面となり、第２状態では内面となる面には、剥離可能な粘着シート６０が貼り付けられているので、容器１００を用いて青果物３０を洗浄する直前に、粘着シート６０を面状部２４から剥離することにより、衛生的に青果物３０を洗浄することができる。
【００８６】
〔第５の実施形態〕
図１０（ｂ）は第５の実施形態に係る容器１００の正面図である。本実施形態に係る容器１００は、以下に説明する点で、上記の第１乃至第４の実施形態に係る容器１００と相違し、その他の点では、上記の第１乃至第４の実施形態に係る容器１００と同様に構成されている。
【００８７】
本実施形態の場合、蓋体２０の面状部２４において、第１状態では内面となり、第２状態では外面となる面には、文字情報と図柄とのうちの少なくとも何れか一方が印刷されたシート７０が貼り付けられている。
文字情報は、青果物３０の品種、産地、生産者等を示す情報と、容器１００を用いた青果物３０の洗浄手順の説明書き（図１０（ａ）に示す粘着シート６０を有する場合、粘着シート６０の剥離の仕方や剥離するタイミングの説明を含んでも良い）と、のうちの少なくとも何れか１つであることが挙げられる。図柄は、青果物３０の生産者、産地、ブランド等を示す図柄と、容器１００を用いた青果物３０の洗浄手順を示す図柄と、のうちの少なくとも何れか一方であることが挙げられる。
【００８８】
本実施形態の場合、蓋体２０において、第１状態では内面となり、第２状態では外面となる面には、文字情報と図柄とのうちの少なくとも何れか一方が印刷されたシート７０が貼り付けられているので、印刷がなされたシート７０を洗浄用の水４０および青果物３０に接触させずに、青果物３０を洗浄することができる。よって、洗浄の際にシート７０が剥がれてしまうことを抑制することができる。
【００８９】
なお、上記の第４の実施形態で説明したシート７０と同様のシートが、容器本体１０の底面１８の下面（外表面）に貼り付けられていても良い。
【００９０】
〔第６の実施形態〕
本願発明者は、青果物３０あるいはその他の内容物を収容する容器として、互いに仕切られた２つの収容空間を有するものや、必要に応じて収容空間の数や内容積を変更できるようにすることに対し、ニーズがあると考え、以下に説明する第６の実施形態に係る容器２００に想到した。
【００９１】
図１１は第６の実施形態に係る容器２００の２つの容器本体１０と蓋体２０とを分離させた状態の容器の全体構成を示す正面図である。図１２は蓋体２０と２つの容器本体１０とを組み付けた状態を示す正面図である。
【００９２】
本実施形態に係る容器２００は、容器本体１０を２つ備えている点で、上記の第３の実施形態に係る容器１００と相違し、その他の点では、上記の第３の実施形態と同様に構成されている。
すなわち、本実施形態の場合、容器２００は、第１容器本体１０ａと、第２容器本体１０ｂと、の２つの容器本体１０を備えている。
そして、蓋体２０を第１容器本体１０ａ対して第１状態又は第２状態のうちの一方の状態で装着した状態において、蓋体２０を第２容器本体１０ｂに対して第１状態又は第２状態のうちの他方の状態で装着可能である。
図１２には、蓋体２０を第１容器本体１０ａに対して第１状態で装着し、且つ、蓋体２０を第２容器本体１０ｂに対して第２状態で装着した状態を示している。
【００９３】
したがって、本実施形態に係る容器２００は、図１２に示すように、蓋体２０を間に挟んで２つの収容空間１１を有する状態と、蓋体２０の一方の側にのみ収容空間１１を有する状態（図９（ａ）に示される容器１００と同じ状態）と、蓋体２０の他方の側にのみ収容空間１１を有する状態（図９（ｂ）に示される容器１００と同じ状態）と、の３つの状態とすることができる。
すなわち、本実施形態に係る容器２００は、３つの状態で使用できる３Ｗａｙ容器である。
なお、図９（ａ）に示される容器１００と同じ状態のときと、図９（ｂ）に示される容器１００と同じ状態のときとでは、収容空間１１の内容積が互いに異なる。
よって、本実施形態に係る容器２００によれば、互いに仕切られた２つの収容空間１１を有する状態（図１２）とすることができるとともに、必要に応じて収容空間１１の数を１つ減らすことができる。（図９（ａ）又は図９（ｂ）と同じ状態にすることができる）。また、収容空間１１の内容積を変更することもできる。
【００９４】
本実施形態に係る容器２００によれば、例えば、図９（ａ）と同じ状態にすることにより上述した洗浄機能を実現できるほか、図１２の状態では互いに仕切られた複数の２つの収容空間１１を有することとなるため、弁当、サンドイッチ、寿司などの二段容器として用いることができる。また、図９（ｂ）と同じ状態にすることにより、収容空間１１を密閉して用いることができる。
【００９５】
なお、本実施形態に係る容器２００は、以下のように規定することもできる。
すなわち、本実施形態に係る容器２００は、第１収容空間（収容空間１１）が内部に形成されているとともに、第１収容空間に収容される内容物を第１収容空間に出し入れするための第１本体開口（本体開口１４）を有する第１容器本体１０ａと、
第２収容空間（収容空間１１）が内部に形成されているとともに、第２収容空間に収容される内容物を第２収容空間に出し入れするための第２本体開口（本体開口１４）を有する第２容器本体１０ｂと、
蓋体２０と、
を備える容器２００であって、
蓋体２０は、第１容器本体１０ａに対する状態を、第１状態と、第１状態とは蓋体２０の表裏が反転した第２状態と、の各々の状態にして、第１本体開口を塞ぐように第１容器本体１０ａに対して装着可能であるとともに、
蓋体２０は、第２容器本体１０ｂに対する状態を、第１状態と第２状態との各々の状態にして、第２本体開口を塞ぐように第２容器本体１０ｂに対して装着可能であり、
且つ、
蓋体２０を第１容器本体１０ａに対して第１状態又は第２状態のうちの一方の状態で装着した状態において、蓋体２０を第２容器本体１０ｂに対して第１状態又は第２状態のうちの他方の状態で装着可能である。
【００９６】
〔第７の実施形態〕
図１３は第７の実施形態に係る容器の容器本体１０の平面図である。
本実施形態に係る容器は、以下に説明する点で、上記の各実施形態に係る容器（容器１００、２００）と相違し、その他の点では、上記の各実施形態に係る容器と同様に構成されている。
【００９７】
図１３に示すように、本実施形態の場合、容器本体１０と蓋体２０との少なくとも何れか一方には、容器１００を吊り下げるための吊り下げ穴１９ａが形成されている。よって、収容空間１１に青果物３０等の内容物を収容して容器本体１０に蓋体２０を装着した状態で、容器１００を吊り下げて陳列等を行うことができる。
【００９８】
図１３には、容器本体１０に吊り下げ穴１９ａが形成されている例を示している。より具体的には、例えば、容器本体１０の鍔状部１５には、平面視において当該鍔状部１５が部分的に外方に張り出した張り出し片１９が形成されている。そして、この張り出し片１９には、当該張り出し片１９の表裏を貫通する吊り下げ穴１９ａが形成されている。
【００９９】
ただし、吊り下げ穴１９ａは、蓋体２０に形成されていても良いし、容器本体１０と蓋体２０の双方に形成されていても良い。
吊り下げ穴１９ａが容器本体１０と蓋体２０の双方に形成されている場合、蓋体２０を容器本体１０に装着したときに、蓋体２０の吊り下げ穴１９ａと容器本体１０の吊り下げ穴１９ａとが重なるようになっていても良い。このようにすることにより、容器１００において吊り下げ穴１９ａが形成された部分の強度を向上することができる。
【０１００】
〔第８の実施形態〕
図１４は第８の実施形態に係る容器の蓋体２０の平面図である。
本実施形態に係る容器は、以下に説明する点で、上記の各実施形態に係る容器（容器１００、２００）と相違し、その他の点では、上記の各実施形態に係る容器と同様に構成されている。
【０１０１】
図１４に示すように、本実施形態の場合、蓋体２０において、蓋体２０が容器本体１０に装着された状態で本体開口１４を塞ぐ面（面状部２４）には、当該面を貫通するＵ字形の切り込み２５（スリット）が形成されている。
なお、面状部２４において、切り込み２５に囲まれた部位は、面状部２４における切り込み２５の周囲の部分に対して可動な可動片となる。
一方、容器本体１０には（特に、容器本体１０の底面１８には）、切り込み２５は形成されていない。
【０１０２】
切り込み２５は、例えば、容器１００に収容された青果物３０等の内容物の鮮度保持用の空気穴として機能させることができる。
或いは、切り込み２５は、例えば、容器１００に収容された内容物をレンジ加熱する際の蒸気穴として機能させることもできる。
或いは、可動片の基端側を曲げて可動片を起立させることにより、切り込み２５の形成箇所を、内容物の洗浄後の排水穴として機能させることもできる。
【０１０３】
〔第９の実施形態〕
図１５は第９の実施形態に係る容器１００を示す正面図である。
本実施形態に係る容器は、以下に説明する点で、上記の各実施形態に係る容器（容器１００、２００）と相違し、その他の点では、上記の各実施形態に係る容器と同様に構成されている。
【０１０４】
図１５に示すように、本実施形態の場合、例えば、容器本体１０の本体開口１４の縁部には、波形等のジグザグの切欠形状部１６が形成されている。そして、蓋体２０が第１状態で容器本体１０に装着された状態において、容器１００の側面１３に、複数の開口５０が形成されるようになっている。
【０１０５】
ここで、容器１００は、例えば、複数の側面１３（例えば、４つの側面１３）を有しており、蓋体２０が容器本体１０に第１状態で装着された状態において、一の側面１３に、複数の開口５０が形成される。
これら複数の開口５０は、例えば、水平に一列に並んで配置される。
【０１０６】
なお、各側面１３に、それぞれ複数の開口５０が形成されても良いし、各側面１３毎に形成される開口５０の数が異なっていても良い。
【０１０７】
本実施形態の場合、容器１００の側面１３に複数の開口５０が形成されるため、個々の開口５０の寸法を小さくすることができる。よって、収容空間１１に収容される青果物３０がレタスやキャベツ等の葉野菜である場合に、洗浄後の水切りの際に、細かい切れ端が開口５０から流出してしまうことを抑制することができる。
【０１０８】
〔第１０の実施形態〕
図１６は第１０の実施形態に係る容器１００を示す正面図であり、このうち（ａ）は容器本体１０と蓋体２０とを分離させ、且つ、容器本体１０及び蓋体２０をそれぞれ特定の回転角度にした状態を示し、（ｂ）は容器本体１０及び蓋体２０をそれぞれ特定の回転角度にして蓋体２０を容器本体１０に装着した状態を示す。
本実施形態に係る容器は、以下に説明する点で、上記の各実施形態に係る容器（容器１００、２００）と相違し、その他の点では、上記の各実施形態に係る容器と同様に構成されている。
【０１０９】
蓋体２０は、蓋体２０の表裏を第１状態と同じ向きにした状態において、複数の回転角度の各々で容器本体１０に対して装着可能となっている。ここでいう回転角度は、蓋体２０に対して直交する（例えば面状部２４に対して直交する）回転軸を回転中心とした回転角度である。
【０１１０】
ここでは、説明を簡単にするため、蓋体２０及び容器本体１０が、第３の実施形態と同様に平面視正方形状であるものとする。この場合、互いに９０度ずつ異なる４つの回転角度の各々で、蓋体２０を容器本体１０に対して装着可能である。
【０１１１】
また、説明を簡単にするため、容器本体１０の切欠形状部１６（図７参照）が容器本体１０の１つの側部にのみ形成されており、他の３つの側部には、切欠形状部１６が形成されていないものとする。
【０１１２】
また、蓋体２０の切欠形状部２６（図７参照）が蓋体２０の１つの側部にのみ形成されており、他の３つの側部には、切欠形状部２６が形成されていないものとする。すなわち、蓋体２０の３つの側部は、図１６（ａ）に示すように、切欠形状部２６を有しておらず、代わりに、容器本体２０の切欠形状部２６を塞ぐ閉塞部２９を有している。
【０１１３】
このため、図１６（ａ）に示されるように、蓋体２０の閉塞部２９を有する側部と容器本体２０の切欠形状部１６を有する側部との位置が対応した位置となるように蓋体２０の回転角度を設定して、蓋体２０を容器本体１０に装着したときには、図１６（ｂ）に示すように、容器１００の側面に開口５０（図９（ａ）参照）が形成されない。
【０１１４】
一方、蓋体２０の切欠形状部２６を有する側部と容器本体２０の切欠形状部１６を有する側部との位置が対応した位置となるように蓋体２０の回転角度を設定して、蓋体２０を容器本体１０に装着したときには、図９（ａ）に示すように、容器１００の側面に開口５０が形成される。
【０１１５】
このように、本実施形態の場合、蓋体２０は、当該蓋体２０の表裏を第１状態と同じ向きにした状態において、複数の回転角度の各々で容器本体１０に対して装着可能である。
そして、複数の回転角度のうちの第１の回転角度で蓋体２０を容器本体１０に対して装着したときには、容器１００の側面に開口５０が形成される（図９（ａ））。
また、複数の回転角度のうち第１の回転角度とは異なる第２の回転角度で蓋体２０を容器本体１０に対して装着したときには、容器１００の側面に開口５０が形成されない（図１６）。
【０１１６】
よって、蓋体２０の表裏を第１状態と同じ向きにして用いる場合であっても、容器１００の使用時のユーザの要求に応じて、開口５０の有無を変更することができる。
【０１１７】
なお、上記の各形態において、蓋体２０の一方の面（例えば、第１状態で装着したときに外面側となる面）には、必要に応じて、印刷が施されていても良い。
同様に、容器本体１０の側面１３には、必要に応じて、印刷が施されていても良い。
【０１１８】
また、上記の各形態において、容器の天面となる蓋体２０の面状部２４には、１つ又は複数の穴が形成されており、容器は、面状部２４に貼り付けられて、この１つ又は複数の穴を塞いでいる粘着シートを有していても良い。この粘着シートは、剥離可能な低粘着シートとすることができる。この場合、例えば、洗浄時には、粘着シートにより面状部２４の穴を塞いでおき、洗浄後に粘着シートを剥がすことにより、面状部２４の１つ又は複数の穴を排水穴として機能させることができる。
【０１１９】
或いは、容器の天面となる蓋体２０の面状部２４に１つ又は複数の穴が形成され、且つ、面状部２４に上述したような粘着シートが貼り付けられていない構成とすれば、蓋体２０を表裏の何れの向きにして容器本体１０に装着したときにも、収容空間１１と容器の外部空間とを相互に連通させる開口（１つ又は複数の穴）が容器の天面に形成されることになる。
【０１２０】
また、上記においては、蓋体２０を表にして（第１状態で）容器本体１０に装着したときには、収容空間１１と容器の外部空間とを相互に連通させる開口５０が容器の側面に形成される一方で、蓋体２０を裏にして容器本体１０に装着したときには、収容空間１１が容器１００の外部空間から遮蔽される例を説明した。
ただし、蓋体２０を裏にして容器本体１０に装着したときにも、収容空間１１と容器の外部空間とを相互に連通させる開口が容器の側面に形成されるようになっていても良い。
すなわち、蓋体２０を表裏の何れの向きにして容器本体１０に装着したときにも、収容空間１１と容器の外部空間とを相互に連通させる開口が容器の側面に形成されても良い。
【符号の説明】
【０１２１】
１０ 容器本体
１０ａ 第１容器本体
１０ｂ 第２容器本体
１１ 収容空間
１１ａ 第１部分
１１ｂ 第２部分
１１ｃ 第３部分
１２ 段部
１３ 側面
１４ 本体開口
１５ 鍔状部
１５ａ ベース部
１５ｂ 嵌入突起部
１５ｃ 摘み部
１６ 切欠形状部
１７ 穴
１８ 底面
１９ 張り出し片
１９ａ 吊り下げ穴
２０ 蓋体
２１ 装着部
２１ａ 摘み部
２１ｂ 段部  
２２ 突出部
２３ 側面
２４ 面状部
２５ 切り込み
２６ 切欠形状部
２７ 第１突出部
２８ 第２突出部
２９ 閉塞部
３０ 青果物
４０ 水
５０ 開口
６０ 粘着シート
７０ シート
１００ 容器
２００ 容器
【図１】
2015110445.tif 000003
【図２】
2015110445.tif 000004
【図３】
2015110445.tif 000005
【図４】
2015110445.tif 000006
【図５】
2015110445.tif 000007
【図６】
2015110445.tif 000008
【図７】
2015110445.tif 000009
【図８】
2015110445.tif 000010
【図９】
2015110445.tif 000011
【図１０】
2015110445.tif 000012
【図１１】
2015110445.tif 000013
【図１２】
2015110445.tif 000014
【図１３】
2015110445.tif 000015
【図１４】
2015110445.tif 000016
【図１５】
2015110445.tif 000017
【図１６】
2015110445.tif 000018